(57)【要約】【課題】ブラケット材に嵌合された手摺りガイドの脱落防止を容易に行うことのできる乗客コンベアを提供する。【解決手段】手摺りガイド５ａ、５ｂの長手方向及び短手方向の分割部に配置され、ブラケット材４に嵌合された手摺りガイド５ａ、５ｂが脱落するのを防止する固定金具８を有しているとともに、手摺りガイド５ａ、５ｂは、短手方向に分割された手摺りガイド５ａ、５ｂの互いに向き合う面に溝６を有し、固定金具８は、手摺りガイド５ａ、５ｂの長手方向及び短手方向の分割部で互いに隣接する４つの手摺りガイド５ａ１、５ａ２、５ｂ１、５ｂ２の溝６に嵌め込まれる嵌め込み部８ａと、嵌め込み部８ａと連結されるとともに、手摺りガイド５ａ、５ｂの長手方向の分割部（継ぎ目７）の間隙に沿って外側に向かって延設され、ブラケット材４に係合する係合部８ｂとを有する。【選択図】  図４
2015151202.tif 000002
【特許請求の範囲】
【請求項１】
無端状に連結され、乗降口間を循環移動する複数の踏段と、前記踏段の進行方向に沿って立設される欄干パネルと、前記欄干パネルの上端に装着されるブラケット材と、長手方向及び短手方向に分割構造となっており、前記ブラケット材に嵌合される手摺りガイドと、前記手摺りガイドに支持され、前記踏段と同期して移動する移動手摺りとを備えた乗客コンベアにおいて、
前記手摺りガイドの長手方向及び短手方向の分割部に配置され、前記ブラケット材に嵌合された前記手摺りガイドが脱落するのを防止する固定金具を有し、
前記手摺りガイドは、短手方向に分割された前記手摺りガイドの互いに向き合う面に溝を有し、
前記固定金具は、前記手摺りガイドの長手方向及び短手方向の分割部で互いに隣接する４つの手摺りガイドの前記溝に嵌め込まれる嵌め込み部と、前記嵌め込み部と連結されるとともに、前記手摺りガイドの長手方向の分割部の間隙に沿って外側に向かって延設され、前記ブラケット材に係合する係合部とを有することを特徴とする乗客コンベア。
【請求項２】
前記固定金具は、金属棒材を折り曲げて前記嵌め込み部及び前記係合部を一体成型したものであることを特徴とする請求項１に記載の乗客コンベア。
【発明の詳細な説明】
【技術分野】
【０００１】
本発明は、乗客コンベアに関する。
【背景技術】
【０００２】
乗客コンベアは、無端状に連結され、乗降口間を循環移動する複数の踏段と、これらの踏段の進行方向に沿って立設される欄干パネルと、この欄干パネルにより支持され、踏段と同期して移動する移動手摺りとを備えている。そして、移動手摺りを欄干パネルに支持する構造として、従来、欄干パネルの上端に装着されるブラケット材と、長手方向及び短手方向（左右方向）に分割構造となっており、ブラケット材に嵌合される手摺りガイドとを備え、この手摺りガイドに移動手摺りを支持している。
【０００３】
ところで、手摺りガイドには何らかの要因で大きな負荷がかかることがある。例えば、手摺りガイドは、一般に、樹脂で形成されるものであるとともに、例えば２０００ｍｍの長さ寸法を有する長尺部材であり、乗客コンベアの設置環境の変化等により、手摺りガイドに伸びが生じることがある。通常の状態では、手摺りガイドはブラケット材に嵌合されて脱落しないようになっているが、このような伸びが生じると、長手方向で隣り合う一方の手摺りガイドと他方の手摺りガイドとの繋ぎ目で互いに押し合い持ち上がる虞がある。このような事象等により手摺りガイドに大きな負荷がかかったときにブラケット材から脱落することを防ぐため固定することが必要である。
【０００４】
そこで、従来、長手方向及び短手方向に分割構造となっている手摺りガイドを、それぞれブラケット材に嵌合した状態で、ブラケット材の短手方向の中央部において、手摺りガイドの上に一部重なるように固定プレートを配置し、固定プレートをビスで固定することによって、ブラケット材に嵌合された手摺りガイドが脱落するのを防止している。この種のものとして、例えば特開平０５−７８０８０号公報（特許文献１）に記載されるものがある。
【先行技術文献】
【特許文献】
【０００５】
【特許文献１】特開平０５−７８０８０号公報
【発明の概要】
【発明が解決しようとする課題】
【０００６】
しかしながら、前述したものでは、手摺りガイドをブラケット材に嵌合した状態で、固定プレート及びビスにより手摺りガイドがブラケット材から脱落するのを防止するものであり、ビスによる固定作業に手間がかかるという課題があった。手摺りガイドが２０００ｍｍの長さ寸法を有する長尺部材の場合には、少なくとも２０００ｍｍ間隔でこのようなビスによる固定作業を行う必要があることから、ビスによる固定作業にかなりの労力と時間がかかっていた。
【０００７】
本発明は、前述した従来技術における実状からなされたもので、その目的は、ブラケット材に嵌合された手摺りガイドの脱落防止を容易に行うことのできる乗客コンベアを提供することにある。
【課題を解決するための手段】
【０００８】
前記目的を達成するために、本発明は、例えば、無端状に連結され、乗降口間を循環移動する複数の踏段と、前記踏段の進行方向に沿って立設される欄干パネルと、前記欄干パネルの上端に装着されるブラケット材と、長手方向及び短手方向に分割構造となっており、前記ブラケット材に嵌合される手摺りガイドと、前記手摺りガイドに支持され、前記踏段と同期して移動する移動手摺りとを備えた乗客コンベアにおいて、前記手摺りガイドの長手方向及び短手方向の分割部に配置され、前記ブラケット材に嵌合された前記手摺りガイドが脱落するのを防止する固定金具を有し、前記手摺りガイドは、短手方向に分割された前記手摺りガイドの互いに向き合う面に溝を有し、  前記固定金具は、前記手摺りガイドの長手方向及び短手方向の分割部で互いに隣接する４つの手摺りガイドの前記溝に嵌め込まれる嵌め込み部と、前記嵌め込み部と連結されるとともに、前記手摺りガイドの長手方向の分割部の間隙に沿って外側に向かって延設され、前記ブラケット材に係合する係合部とを有することを特徴とする。
【発明の効果】
【０００９】
本発明によれば、固定金具により、固定プレートやビスを要することなくブラケット材に嵌合された手摺りガイドの脱落防止を容易に行うことができ、これによって、手摺りガイドの脱落防止のための固定作業にかかる労力と時間を低減することができる。
【図面の簡単な説明】
【００１０】
【図１】本発明の実施例における乗客コンベアの概略構成図である。
【図２】実施例における欄干の正面図である。
【図３】実施例における固定金具の斜視図である。
【図４】実施例における固定金具の装着状態を説明する説明図である。
【図５】実施例における固定金具の装着状態を説明する説明図である。
【発明を実施するための形態】
【００１１】
本発明の実施例を、図面を参照しながら説明する。尚、各図において、同一又は類似の構成要素には同じ符号を付し、説明を省略する。
【００１２】
図１は、本発明の実施例における乗客コンベアの概略構成図である。乗客コンベアは、図１に示すように、無端状に連結され、乗降口間を循環移動する複数の踏段１と、これらの踏段１の進行方向に沿って立設される欄干パネル２と、この欄干パネル２により支持され、踏段１と同期して移動する移動手摺り３とを有している。
【００１３】
図２は、実施例における欄干の正面図である。乗客コンベアの欄干は、図２に示すように、前述した欄干パネル２と、この欄干パネル２の上端に装着されるブラケット材４と、長手方向及び短手方向に分割構造となっており、ブラケット材４に嵌合される手摺りガイド５ａ、５ｂと、これらの手摺りガイド５ａ、５ｂに支持される前述した移動手摺り３とから構成されている。なお、欄干パネル２はガラス製、ブラケット４はアルミ製、手摺りガイド５ａ、５ｂは樹脂製である。
【００１４】
図３は、実施例における固定金具の斜視図である。図４及び図５は、実施例における固定金具の装着状態を説明する説明図である。尚、図４は、図５の手摺りガイド５ａ、５ｂを半透明で示した図に相当する。また、図４及び図５では、移動手摺３の一部を半透明で示している。
【００１５】
本実施例では、ブラケット材４に嵌合された手摺りガイド５ａ、５ｂの脱落を防止するための工夫が施されている。具体的には、図３から図５に示すように、手摺りガイド５ａ、５ｂの長手方向及び短手方向の分割部に配置され、ブラケット材４に嵌合された手摺りガイド５ａ、５ｂが脱落するのを防止する固定金具８を有しているとともに、手摺りガイド５ａ、５ｂは、短手方向に分割された手摺りガイド５ａ、５ｂの互いに向き合う面に溝６を有し、固定金具８は、手摺りガイド５ａ、５ｂの長手方向及び短手方向の分割部で互いに隣接する４つの手摺りガイド５ａ１、５ａ２、５ｂ１、５ｂ２の溝６に嵌め込まれる嵌め込み部８ａと、嵌め込み部８ａと連結されるとともに、手摺りガイド５ａ、５ｂの長手方向の分割部（継ぎ目７）の間隙に沿って外側に向かって延設され、ブラケット材４に係合する係合部８ｂとを有する構造となっている。
【００１６】
ここで、固定金具８は、金属棒材を折り曲げて嵌め込み部８ａ及び係合部８ｂを一体成型している。
【００１７】
嵌め込み部８ａは、手摺りガイド５ａ１の溝６に嵌め込まれる直線部８ａ１と、手摺りガイド５ａ２の溝６に嵌め込まれる直線部８ａ２と、手摺りガイド５ｂ１の溝６に嵌め込まれる直線部８ａ３と、手摺りガイド５ｂ２の溝６に嵌め込まれる直線部８ａ４とを有している。
【００１８】
係合部８ｂは、長手方向に分割された手摺りガイド５ａ１、５ａ２の分割部（一方の継ぎ目７）の間隙に沿って一方の外側に向かって延設される延設部８ｂ１と、この延設部８ｂ１の端部が折り曲げられて形成され、ブラケット材４の鍔部に係合する折り曲げ部８ｂ２と、長手方向に分割された手摺りガイド５ｂ１、５ｂ２の分割部（他方の継ぎ目７）の間隙に沿って他方の外側に向かって延設される延設部８ｂ３と、この延設部８ｂ３の端部が折り曲げられて形成され、ブラケット材４の鍔部に係合する折り曲げ部８ｂ４とを有している。
【００１９】
長手方向に分割されて隣接する手摺りガイド５ａ１と手摺りガイド５ａ２との間の継ぎ目７、及び、長手方向に分割されて隣接する手摺りガイド５ｂ１と手摺りガイド５ｂ２との間の継ぎ目７は、例えば手摺りガイド５ａ、５ｂの伸びを考慮するとともに、継ぎ目７の間隙に沿って延設される固定金具８の係合部８ｂを配置するため、例えば５ｍｍの間隙寸法に設定されている。
【００２０】
ここで、手摺りガイド５ａ、５ｂの据付け手順について説明する。本実施例にあっては、まず、手摺りガイド５ａ１及び手摺りガイド５ｂ１をブラケット材４に嵌合する。この状態で固定金具８の嵌め込み部８ａの直線部８ａ１を手摺りガイド５ａ１の溝６に、また、直線部８ａ３を手摺りガイド５ｂ１の溝６に、それぞれ嵌め込むとともに、係合部８ｂの延設部８ｂ１を手摺りガイド５ａ１の縁部に沿って配置し、折り曲げ部８ｂ２を一方のブラケット材４の鍔部に係合し、かつ、延設部８ｂ３を手摺りガイド５ｂ１の縁部に沿って配置し、折り曲げ部８ｂ４を他方のブラケット材４の鍔部に係合する。
【００２１】
次いで、手摺りガイド５ａ２及び手摺りガイド５ｂ２をブラケット材４に嵌合する。このとき、手摺りガイド５ａ２及び手摺りガイド５ｂ２を手摺りガイド５ａ１及び手摺りガイド５ｂ１方向にスライドするようにして、固定金具８の嵌め込み部８ａの直線部８ａ２を手摺りガイド５ａ２の溝６に、また、直線部８ａ４を手摺りガイド５ｂ２の溝６に、それぞれ嵌め込む。このように、固定金具８の嵌め込み部８ａにより手摺りガイド５ａ１、５ａ２、５ｂ１、５ｂ２のそれぞれを互いに連結することで、手摺りガイド５ａ、５ｂは強固にブラケット材４に固定される。そして、前述した手順を繰り返すことで、順次、手摺りガイド５ａ、５ｂを据え付けていく。
【００２２】
本実施の形態によれば、固定金具８により、固定プレートやビスを要することなく手摺りガイド５ａ、５ｂがブラケット材４から脱落するのを防止することができ、これによって、手摺りガイド５ａ、５ｂの固定作業にかかる労力と時間を低減することができる。
【００２３】
また、固定金具８は、金属棒材を折り曲げて嵌め込み部８ａ及び係合部８ｂを一体成型したことにより、低コストで固定金具８を製作することができる。
【００２４】
以上、本発明の実施例を説明してきたが、これまでの実施例で説明した構成はあくまで一例であり、本発明は、技術思想を逸脱しない範囲内で適宜変更が可能である。
【符号の説明】
【００２５】
１  踏段
２  欄干パネル
３  移動手摺り
４  ブラケット材
５ａ（５ａ１、５ａ２）、５ｂ（５ｂ１、５ｂ２）  手摺りガイド
６  溝
７  継ぎ目
８  固定金具
８ａ  嵌め込み部
８ａ１、８ａ２、８ａ３、８ａ４  直線部
８ｂ  係合部
８ｂ１、８ｂ３  延設部
８ｂ２、８ｂ４  折り曲げ部
【図１】
2015151202.tif 000003
【図２】
2015151202.tif 000004
【図３】
2015151202.tif 000005
【図４】
2015151202.tif 000006
【図５】
2015151202.tif 000007